【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
第１通信ネットワークと第２通信ネットワークを介しモバイル端末が第３通信ネットワークと通信するのを可能にするため、前記第１通信ネットワークと前記第２通信ネットワークとの間にタイトカップリング構成を実現するための方法であって、
（ａ）前記第１通信ネットワークにおいて、前記モバイル端末がセルラーネットワークからなる前記第２通信ネットワークのユーザプレーンを走査することなく前記第１通信ネットワークを介し前記第３通信ネットワークとデータトラフィックを通信するのを可能にするルーズカップリング構成内の処理のため適応されるプロトコルスタックを有するアクセスポイントを提供するステップと、
（ｂ）前記モバイル端末において、前記第２通信ネットワークのアクセス装置の対応する無線ネットワークコントローラプロトコルスタックと直接的にインタフェースをとる無線ネットワークコントローラプロトコルスタックを提供するステップと、
（ｃ）前記第２通信ネットワークのアクセス装置において、前記モバイル端末無線ネットワークコントローラプロトコルスタックとインタフェースをとるための前記対応する無線ネットワークコントローラプロトコルスタックを提供し、これによって、前記モバイル装置が前記第２通信ネットワークを走査するため前記アクセス装置とインタフェースをとることが可能となり、タイトカップリング構成において前記第３通信ネットワークと通信するステップと、
から構成され、
前記第２通信ネットワークのアクセス装置は、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）から構成されることを特徴とする方法。
【請求項２】
請求項１記載の方法であって、
前記第１通信ネットワークは、ＩＥＥＥ８０２規格に従う無線ローカルエリアネットワークから構成されることを特徴とする方法。
【請求項３】
請求項２記載の方法であって、
前記ステップ（ｂ）は、前記モバイル端末において、接続を確立及び設定するためのＲＡＮＡＰ（Ｒａｄｉｏ  Ａｃｃｅｓｓ  Ｎｅｔｗｏｒｋ  Ａｄａｐｔａｔｉｏｎ）プロトコルの一部を含む制御データプロトコルスタックを提供するステップを含むことを特徴とする方法。
【請求項４】
請求項３記載の方法であって、
前記ステップ（ａ）は、前記アクセスポイントにおいて、無線、ワイヤレスローカルエリアネットワークＭＡＣ（Ｍｅｄｉａ  Ａｃｃｅｓｓ  Ｃｏｎｔｒｏｌ）、ＥＡＰＯＬ（Ｅｘｔｅｎｄｅｄ  Ａｕｔｈｅｎｔｉｃａｔｉｏｎ  Ｐｒｏｔｏｃｏｌ  Ｏｖｅｒ  Ｌｏｃａｌ  ａｒｅａ  ｎｅｔｗｏｒｋ）、ＤｉａｍｅｔｅｒまたはＴＣＰ（Ｔｒａｎｓｍｉｓｓｉｏｎ  Ｃｏｎｔｒｏｌ  Ｐｒｏｔｏｃｏｌ）プロトコルを有するプロトコルスタックを提供するステップを含むことを特徴とする方法。
【請求項５】
請求項３記載の方法であって、
前記ステップ（ｃ）は、前記第２通信ネットワークのアクセス装置において、前記接続を確立及び設定するためのＲＡＮＡＰプロトコルの一部を含む前記制御データプロトコルスタックを提供するステップを含むことを特徴とする方法。
【請求項６】
請求項２記載の方法であって、
前記ステップ（ｂ）は、前記モバイル端末において、ＧＴＰ−Ｕ（Ｇｅｎｅｒａｌ  ｒａｄｉｏ  ｓｅｒｖｉｃｅ  Ｔｕｎｎｅｌ  Ｐｒｏｔｏｃｏｌ−Ｕｓｅｒ  ｐｌａｎｅ）、ＵＤＰ（Ｕｓｅｒ  Ｄａｔａ  Ｐｒｏｔｏｃｏｌ）、ＩＰ（Ｉｎｔｅｒｎｅｔ  Ｐｒｏｔｏｃｏｌ）またはワイヤレスローカルエリアネットワークＭＡＣプロトコルを含むユーザデータプロトコルスタックを提供するステップを含むことを特徴とする方法。
【請求項７】
請求項６記載の方法であって、
前記ステップ（ａ）は、前記アクセスポイントにおいて、無線、ワイヤレスローカルエリアネットワークＭＡＣ、リンク、物理的レイヤプロトコルを含む前記ユーザデータプロトコルスタックを提供するステップを含むことを特徴とする方法。
【請求項８】
請求項６記載の方法であって、
前記ステップ（ｃ）は、前記第２通信ネットワークのアクセス装置において、ＧＴＵ−Ｕ、ＵＤＰ、ＩＰ、リンクまたは物理的レイヤプロトコルを含むユーザデータプロトコルスタックを提供するステップを含むことを特徴とする方法。
【請求項９】
ワイヤレスローカルエリアネットワークとセルラーネットワークを介し通信ネットワークにアクセスするため前記ワイヤレスローカルエリアネットワークと通信するモバイル端末であって、
前記ワイヤレスローカルエリアネットワークと前記セルラーネットワークとの間のルーズカップリングのため構成されたワイヤレスローカルエリアネットワークアクセスポイントと制御データ及びユーザデータを通信する手段と、
当該モバイル端末がタイトカップリング構成において前記ワイヤレスローカルエリアネットワークと前記セルラーネットワークを介し前記通信ネットワークと通信することを可能にする無線ネットワークコントローラプロトコルスタックと、
から構成され、
前記無線ネットワークコントローラプロトコルスタックは、当該モバイル端末、前記ワイヤレスローカルエリアネットワーク及び前記セルラーネットワークとの間の接続を確立するためのＲＡＬ（Ｒａｄｉｏ  Ａｄａｐｔａｔｉｏｎ  Ｌａｙｅｒ）、ＥＡＰ（Ｅｘｔｅｎｄｅｄ  Ａｕｔｈｅｎｔｉｃａｔｉｏｎ  Ｐｒｏｔｏｃｏｌ）、ＥＡＰＯＬＥｘｔｅｎｄｅｄ  Ａｕｔｈｅｎｔｉｃａｔｉｏｎ  Ｐｒｏｔｏｃｏｌ  Ｏｖｅｒ  Ｌｏｃａｌ  ａｒｅａ  ｎｅｔｗｏｒｋ）またはワイヤレスローカルエリアネットワークＭＡＣ（Ｍｅｄｉａ  Ａｃｃｅｓｓ  Ｃｏｎｔｒｏｌ）プロトコルスタックを含む制御データプロトコルスタックを含むことを特徴とする端末。
【請求項１０】
請求項９記載のモバイル端末であって、
前記ＲＡＬプロトコルは、前記接続を確立するためのＲＡＮＡＰ（Ｒａｄｉｏ  Ａｃｃｅｓｓ  Ｎｅｔｗｏｒｋ  Ａｄａｐｔａｔｉｏｎ）プロトコルの一部から構成されることを特徴とする端末。
【請求項１１】
請求項９記載のモバイル端末であって、
前記無線ネットワークコントローラプロトコルスタックは、ＧＴＰ−Ｕ（Ｇｅｎｅｒａｌ  ｒａｄｉｏ  ｓｅｒｖｉｃｅ  Ｔｕｎｎｅｌ  Ｐｒｏｔｏｃｏｌ−Ｕｓｅｒ  ｐｌａｎｅ）、ＵＤＰ（Ｕｓｅｒ  Ｄａｔａ  Ｐｒｏｔｏｃｏｌ）、ＩＰ（Ｉｎｔｅｒｎｅｔ  Ｐｒｏｔｏｃｏｌ）またはワイヤレスローカルエリアネットワークＭＡＣプロトコルを含むユーザデータプロトコルスタックを含むことを特徴とする端末。
【請求項１２】
ＲＡＬ（Ｒａｄｉｏ  Ａｄａｐｔａｔｉｏｎ  Ｌａｙｅｒ）プロトコルを有し、タイトカップリング構成によりネットワークと制御プレーンにおいて通信するよう構成される第１プロトコルスタックと、
ユーザデータパケットの送受信のため、ＧＴＰ（ＧＰＲＳ（Ｇｅｎｅｒａｌ  Ｐａｃｋｅｔ  Ｒａｄｉｏ  Ｓｅｒｖｉｃｅ）  Ｔｕｎｎｅｌｉｎｇ  Ｐｒｏｔｏｃｏｌ）を有し、前記ネットワークとユーザプレーンにおいて通信するよう構成される第２プロトコルスタックと、
を有するモバイル端末。
【請求項１３】
前記ユーザデータパケットは、ＩＰ（Ｉｎｔｅｒｎｅｔ  Ｐｒｏｔｏｃｏｌ）データグラムである、請求項１２記載のモバイル端末。
【請求項１４】
前記第１プロトコルスタックはさらに、
接続管理レイヤと、
グローバル可動性管理レイヤと、
ＥＡＰ（Ｅｘｔｅｎｄｅｄ  Ａｕｔｈｅｎｔｉｃａｔｉｏｎ  Ｐｒｏｔｏｃｏｌ）／ＥＡＰＯＬ（ＥＡＰ  Ｏｖｅｒ  ＬＡＮ（Ｌｏｃａｌ  Ａｒｅａ  Ｎｅｔｗｏｒｋ））レイヤと、
ＷＬＡＮ（Ｗｉｒｅｌｅｓｓ  Ｌｏｃａｌ  Ａｒｅａ  Ｎｅｔｗｏｒｋ）ＭＡＣ（Ｍｅｄｉａ  Ａｃｃｅｓｓ  Ｃｏｎｔｒｏｌ）レイヤと、
物理レイヤと、
を有する、請求項１２記載のモバイル端末。
【請求項１５】
前記第２プロトコルスタックはさらに、
ＩＰレイヤと、
ＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）レイヤと、
ＷＬＡＮ  ＭＡＣレイヤと、
物理レイヤと、
を有する、請求項１２記載のモバイル端末。
【請求項１６】
前記ＲＡＬの制御情報は、アクセスポイントを介し通信されるが、該アクセスポイントによっては処理されない、請求項１２記載のモバイル端末。
【請求項１７】
ユーザプレーン通信のための２つのプロトコルスタックを有するアクセスポイントであって、
前記２つのプロトコルスタックの第１部分は、モバイル端末と通信し、ＷＬＡＮ  ＭＡＣレイヤと物理レイヤとを有し、
前記２つのプロトコルスタックの第２部分は、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）と通信し、リンクレイヤと物理レイヤとを有する、アクセスポイント。